(57)【要約】【課題】作業員による送信盤の電磁波の送信状態の確認不足を減らし、電磁波を送信している運用中の送信盤と給電線との接続が解除される可能性を低減する。【解決手段】送信盤と、送信空中線に接続された同軸ケーブルとが、互いに着脱可能なコネクタにより接続されている無線装置用のアダプタ１０であって、送信盤のコネクタに接続されるオス側コネクタ２２、及び、同軸ケーブルのコネクタに接続されるメス側コネクタ２４が設けられたアダプタ本体２０と、アダプタ本体２０に、外部から視認可能に設けられた発光ダイオード３０と、アダプタ本体２０に内蔵され、送信盤から送信される電磁波を検出するコイルを有し、該コイルにより電磁波が検出された場合に発光ダイオード３０を発光させる発光回路とを備える。【選択図】図２
2011234115.tif 000002
【特許請求の範囲】
【請求項１】
送信盤と、送信空中線に接続された給電線とが、互いに着脱可能なコネクタにより接続される無線装置用のアダプタであって、
一方が前記送信盤の前記コネクタに接続され、他方が前記給電線の前記コネクタに接続される一対のコネクタが設けられたアダプタ本体と、
前記アダプタ本体に、外部から視認可能に設けられた発光体と、
前記送信盤から送信される電磁波を検出する電磁波検出手段を有し、前記電磁波検出手段により電磁波が検出された場合に前記発光体を発光させる発光回路と、
を備える無線装置用アダプタ。
【請求項２】
前記発光回路は、
前記電磁波検出手段により検出された電磁波の状態を検出する電磁波状態検出手段と、
前記電磁波状態検出手段により検出された電磁波の状態に応じて前記発光部の発光状態を変化させる発光制御手段と、
を備える請求項１に記載の無線装置用アダプタ。
【請求項３】
前記電磁波状態検出手段は、前記電磁波検出手段により検出された電磁波の周波数を分別する周波数分別手段であり、
前記発光制御手段は、前記周波数分別手段により分別された電磁波の周波数に応じて前記発光部の発光状態を変化させる請求項２に記載の無線装置用アダプタ。
【請求項４】
前記電磁波状態検出手段は、前記電磁波検出手段により検出された電磁波の強度のレベルを検出する強度レベル検出手段であり、
前記発光制御手段は、前記強度レベル検出手段により検出された電磁波の強度のレベルに応じて前記発光部の発光状態を変化させる請求項２又は請求項３に記載の無線装置用アダプタ。
【請求項５】
何れか一つが運用される複数の送信盤と、空中線に接続された給電線とが、互いに着脱可能なコネクタにより接続される無線装置であって、
請求項１〜請求項４の何れか１項に記載の無線装置用アダプタを備える無線装置。
【発明の詳細な説明】
【技術分野】
【０００１】
本発明は、何れか一つが運用される複数の送信盤と、空中線に接続された給電線とが、互いに着脱可能なコネクタにより接続される無線装置用のアダプタ、及び該アダプタを備える無線装置に関する。
【背景技術】
【０００２】
基地局や固定局の無線装置として、現用系又は予備系として使用される複数の送信盤が、給電線により空中線に接続された無線装置が知られている（例えば、特許文献１参照）。該無線装置では、現用系の送信盤の点検や修理を行う場合、予備系の送信盤が運用される。
【０００３】
ここで、電磁波を送信している運用中の送信盤と給電線との接続を解除することがないように、送信盤の電磁波の送信状態を確認できるようにする必要がある。なお、電磁波の送受信状態を確認できる技術としては、携帯電話等の無線端末のアンテナトップに電磁波の発着信状態を表示させる技術が知られている（例えば、特許文献２参照）。
【先行技術文献】
【特許文献】
【０００４】
【特許文献１】特開２００２−１０１０３１号公報
【特許文献２】特開平１１−１８７４６６号公報
【発明の概要】
【発明が解決しようとする課題】
【０００５】
しかしながら、送信盤の電磁波の送信状態を確認できる状態であったとしても、作業員の確認不足により、電磁波を送信している運用中の送信盤と給電線との接続が解除される可能性は残る。
【０００６】
本発明は、上記事情を鑑みてなされたものであり、作業員による送信盤の電磁波の送信状態の確認不足を減らすことができ、電磁波を送信している運用中の送信盤と給電線との接続が解除される可能性を低減できる無線装置用アダプタ、及び無線装置を提供することを課題とする。
【課題を解決するための手段】
【０００７】
上記課題を解決するために、本発明に係る無線装置用アダプタは、送信盤と、送信空中線に接続された給電線とが、互いに着脱可能なコネクタにより接続される無線装置用のアダプタであって、一方が前記送信盤の前記コネクタに接続され、他方が前記給電線の前記コネクタに接続される一対のコネクタが設けられたアダプタ本体と、前記アダプタ本体に、外部から視認可能に設けられた発光体と、前記送信盤から送信される電磁波を検出する電磁波検出手段を有し、前記電磁波検出手段により電磁波が検出された場合に前記発光体を発光させる発光回路と、を備える。
【０００８】
上記無線装置用アダプタにおいて、前記発光回路は、前記電磁波検出手段により検出された電磁波の状態を検出する電磁波状態検出手段と、前記電磁波状態検出手段により検出された電磁波の状態に応じて前記発光部の発光状態を変化させる発光制御手段と、を備えてもよい。
【０００９】
上記無線装置用アダプタにおいて、前記電磁波状態検出手段は、前記電磁波検出手段により検出された電磁波の周波数を分別する周波数分別手段であってもよく、前記発光制御手段は、前記周波数分別手段により分別された電磁波の周波数に応じて前記発光部の発光状態を変化させてもよい。
【００１０】
上記無線装置用アダプタにおいて、前記電磁波状態検出手段は、前記電磁波検出手段により検出された電磁波の強度のレベルを検出する強度レベル検出手段であってもよく、前記発光制御手段は、前記強度レベル検出手段により検出された電磁波の強度のレベルに応じて前記発光部の発光状態を変化させてもよい。
【００１１】
上記課題を解決するために、本発明に係る無線装置は、何れか一つが運用される複数の送信盤と、空中線に接続された給電線とが、互いに着脱可能なコネクタにより接続される無線装置であって、上記無線装置用アダプタを備える。
【発明の効果】
【００１２】
上記無線装置用アダプタ、及び無線装置によれば、作業員による送信盤の電磁波の送信状態の確認不足を減らすことができ、電磁波を送信している運用中の送信盤と給電線との接続が解除される可能性を低減できる。
【図面の簡単な説明】
【００１３】
【図１】一実施形態に係るアダプタが適用される基地局や固定局の無線装置の概略構成を示す図である。
【図２】アダプタの外観を示す斜視図である。
【図３】アダプタが内蔵する発光回路の構成を示す回路図である。
【図４】他の実施形態に係る発光回路を示す回路図である。
【図５】他の実施形態に係るアダプタを示す斜視図である。
【発明を実施するための形態】
【００１４】
以下、図面を参照しながら、本発明を実施するための形態を説明する。
図１は、本発明の一実施形態に係るアダプタ１０が適用される基地局や固定局の無線装置１００の概略構成を示す図である。この図に示すように、無線装置１００は、現用系として使用される送信盤１１０及び受信盤１２０と、予備系として使用される送信盤１１１及び受信盤１２１とを備えている。また、無線装置１００は、送信空中線１３０と受信空中線１３２と、送信空中線１３０と送信盤１１０、１１１とを接続する給電線としての同軸ケーブル１４０と、受信空中線１３２と受信盤１２０、１２１とを接続する同軸ケーブル１５０とを備えている。
【００１５】
送信用の同軸ケーブル１４０は、送信盤１１０、１１１と送信空中線との中間地点で現用系の同軸ケーブル１４２と予備系の同軸ケーブル１４４とに分岐しており、分岐点には、切替器１４６が配されている。切替器１４６は、運用する送信盤を、送信盤１１０、１１１の何れか一方から他方に切替える。
【００１６】
受信用の同軸ケーブル１５０は、受信盤１２０、１２１と受信空中線１３２との中間地点で現用系の同軸ケーブル１５２と予備系の同軸ケーブル１５４とに分岐しており、分岐点には、分配器１５６が配されている。分配器１５６は、受信空中線１３２が受信した電磁波を受信盤１２０、１２１に分配する。
【００１７】
また、無線装置本体１０２の前面の下部であって送信盤１１０、１１１及び受信盤１２０、１２１から下側に離れた位置には、メンテナンスパネル１０４が設けられている。メンテナンスパネル１０４には、運用中の送信盤１１０、１１１を表示する表示灯１０６、１０８が設けられている。現用系（１号）の送信盤１１０が運用されている場合には、１号使用の表示の横に設けられた表示灯１０６が点灯し、予備系（２号）の送信盤１１１が運用されている場合には、２号使用の表示の横に設けられた表示灯１０８が点灯する。
【００１８】
ここで、送信盤１１０、１１１と現用系の同軸ケーブル１４２、１４４との接続部には、アダプタ１０が設けられている。アダプタ１０は、送信盤１１０、１１１に設けられたメス側コネクタと同軸ケーブル１４２、１４４に設けられたオス側コネクタとを着脱可能に接続する。
【００１９】
図２は、アダプタ１０の外観を示す斜視図である。この図に示すように、アダプタ１０は、アダプタ本体２０と、アダプタ本体２０の外部に露出するように設けられた発光ダイオード３０とを備えている。アダプタ本体２０には、オス側コネクタ２２とメス側コネクタ２４とが設けられている。
【００２０】
ところで、同軸ケーブル１４２、１４４にはオス側コネクタが設けられ、送信盤１１０、１１１には、同軸ケーブル１４２、１４４のオス側コネクタを挿入可能なメス側コネクタが設けられている。即ち、同軸ケーブル１４２、１４４と送信盤１１０、１１１とは、アダプタ１０を用いずに直接接続することもできる。
【００２１】
ここで、オス側コネクタ２２は、同軸ケーブル１４２、１４４のオス側コネクタと同一構造に形成され、メス側コネクタ２４は、送信盤１１０、１１１のメス側コネクタと同一構造に形成されている。このため、オス側コネクタ２２は、送信盤１１０、１１１のメス側コネクタに挿入でき、メス側コネクタ２４には、同軸ケーブル１４２、１４４のオス側コネクタを挿入できる。これにより、同軸ケーブル１４２、１４４と送信盤１１０、１１１とをアダプタ１０を用いて接続することができる。
【００２２】
オス側コネクタ２２とメス側コネクタ２４とは芯線が直交するように配されており、アダプタ本体２０におけるオス側コネクタ２２とメス側コネクタ２４との間には、直方体状の基部２６が設けられている。ここで、基部２６におけるオス側コネクタ２２の芯線の延長線上には、発光ダイオード３０が設けられている。また、送信盤１１０、１１１のメス側コネクタの芯線は、無線装置本体１０２の前後方向に延びており、オス側コネクタ２２が送信盤１１０のメス側コネクタに挿入された状態では、発光ダイオード３０は、無線装置本体１０２の前方に向けられる。
【００２３】
図３は、アダプタ１０が内蔵する発光回路４０の構成を示す回路図である。この図に示すように、発光回路４０は、コイル４２と、発光ダイオード３０と、整流用ダイオード４４と、コンデンサ４６とを備えている。コイル４２と整流用ダイオード４４と発光ダイオード３０とは、順方向に互いに直列に接続されて閉ループを構成している。コンデンサ４６は、発光ダイオード３０に対して並列に接続されている。
【００２４】
発光回路４０では、電磁波が送信盤１１０、１１１から送信されるとコイル４２において電気信号が誘起される。この電気信号は、整流用ダイオード４４により整流されて発光ダイオード３０に供給され、発光ダイオード３０を発光させる。
【００２５】
上述したように、現用系の送信盤１１０から送信空中線１３０へ電磁波が送信されている場合には、メンテナンスパネル１０４の表示灯１０６が点灯する。また、予備系の送信盤１１１から送信空中線１３０へ電磁波が送信されている場合には、メンテナンスパネル１０４の表示灯１０８が点灯する。しかし、表示灯１０６、１０８は、送信盤１１０、１１１から下側に離れていることから、作業者が、表示等１０６、１０８の確認を忘れたり、表示灯１０６と表示灯１０８とを見誤ったりすることが考えられる。
【００２６】
しかし、本実施形態に係る無線装置１００では、送信盤１１０、１１１と同軸ケーブル１４２、１４４とを接続するアダプタ１０の作業者から視認できる位置に、発光ダイオード３０が配されており、該発光ダイオード３０が、対応する送信盤１１０、１１１から送信空中線１３０へ電磁波が送信されている場合に発光する。これにより、作業者は、送信盤１１０、１１１又は同軸ケーブル１４２、１４４のコネクタをアダプタ１０から取り外そうとしている場合に、電磁波を送信している運用中の送信盤１１０、１１１を、手元で確認できる。
【００２７】
これによって、作業者が表示灯１０６、１０８の確認を忘れたり、表示灯１０６と表示灯１０８とを見誤ったりすることを抑制できる。従って、作業者が、電磁波を送信している運用中の送信盤１１０、１１１と同軸ケーブル１４２、１４４との接続を解除する可能性を低減できる。
【００２８】
また、送信盤１１０、１１１のコネクタと同軸ケーブル１４２、１４４のコネクタとが直接接続されていた既存の無線装置が存在する場合には、該無線装置を改造することなく用いた上で、運用中の送信盤１１０、１１１と同軸ケーブル１５２、１５４との接続を解除する可能性を低減することができる。
【００２９】
図４は、発光回路４０の他の実施形態に係る発光回路５０を示す回路図である。この図に示すように、発光回路５０は、コイル４２と、電源抽出回路５２と、検波回路５４と、周波数分別回路５６と、信号レベル検出回路５８と、発光ダイオード制御回路（以下、ＬＥＤ制御回路という）６０と、発光ダイオード３００とを備えている。発光ダイオード３００は、赤色、緑色、黄色の発光が可能な３つのＬＥＤチップを一つのパッケージに実装した多色発光ダイオードである。
【００３０】
電源抽出回路５２と検波回路５４とはコイル４２に接続されている。また、検波回路５４には、周波数分別回路５６と信号レベル検出回路５８とが並列に接続されている。また、電源抽出回路５２は、周波数分別回路５６と信号レベル検出回路５８とＬＥＤ制御回路６０とに接続されている。さらに、周波数分別回路５６と信号レベル検出回路５８と発光ダイオード３００とはＬＥＤ制御回路６０に接続されている。
【００３１】
電源抽出回路５２は、コイル４２で検出された電気信号を整流し、周波数分別回路５６と信号レベル検出回路５８とＬＥＤ制御回路６０とに供給する。即ち、電源抽出回路５２は、周波数分別回路５６と信号レベル検出回路５８とＬＥＤ制御回路６０とに駆動用電力を供給する。
【００３２】
検波回路５４は、指定周波数の電気信号を通過させる周波数フィルタを備えている。また、周波数分別回路５６は、周波数の下限値と上限値とを記憶しており、検波回路５４を通過して入力した電気信号の周波数が、下限値以上上限値以下の許容範囲内であるか否か判定し、判定信号をＬＥＤ制御回路６０へ出力する。なお、指定周波数は、送信盤１１０、１１１の周波数の設定値に基づいて予め指定され、周波数の下限値と上限値とは、指定周波数の許容誤差範囲に基づいて予め設定されている。
【００３３】
また、信号レベル検出回路５８は、電気信号のレベルの下限値と上限値とを記憶しており、検波回路５４を通過して入力した電気信号のレベルが、下限値未満の低レベルであるか、下限値以上上限値以下の正常レベルであるか、あるいは、上限値を超える高レベルであるかを判定し、判定信号をＬＥＤ制御回路６０へ出力する。なお、電気信号のレベルの下限値と上限値とは、送信盤１１０、１１１の電磁波強度の設定値の許容誤差範囲に基づいて予め設定されている。
【００３４】
ＬＥＤ制御回路６０は、周波数分別回路５６から入力された判定信号が、電気信号の周波数を許容範囲内と判定した信号である場合には、発光ダイオード３００を連続点灯させる。一方、ＬＥＤ制御回路６０は、周波数分別回路５６から入力された判定信号が、電気信号の周波数を許容範囲外と判定した信号である場合には、発光ダイオード３００を点滅させる。
【００３５】
また、ＬＥＤ制御回路６０は、信号レベル検出回路５８から入力された判定信号が、電気信号のレベルを低レベルと判定した信号である場合には、発光ダイオード３０を緑色に点灯させる。また、ＬＥＤ制御回路６０は、信号レベル検出回路５８から入力された判定信号が、電気信号のレベルを正常レベルと判定した信号である場合には、発光ダイオード３００を黄色に点灯させる。さらに、ＬＥＤ制御回路６０は、信号レベル検出回路５８から入力された判定信号が、電気信号のレベルを高レベルと判定した信号である場合には、発光ダイオード３００を赤色に点灯させる。
【００３６】
即ち、発光回路５０を内蔵するアダプタを用いた無線装置では、無線装置から送信される電磁波の周波数や強度の状態を、発光ダイオード３００の点灯状態によって確認できる。従って、点検装置を用いることなく、また、無線装置の運転を停止することなく、無線装置の運転状態を点検することができる。
【００３７】
図５は、他の実施形態に係るアダプタ２００を示す斜視図である。この図に示すように、アダプタ２００のアダプタ本体２２０は、オス側コネクタ２２２の芯線とメス側コネクタ２２４の芯線とが同軸となるように構成されている。また、アダプタ２００の基部２２６は、円柱形状に形成されており、該基部２２６の外周面には、円環状に形成された発光ダイオード２３０が設けられている。該発光ダイオード２３０も上述の実施形態と同様に、アダプタ２００に接続された送信盤１１０、１１１から電磁波が送信された場合に点灯する。
【００３８】
以上、本発明を実施するための形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。例えば、上記実施の形態では、電磁波の状態量として電磁波の周波数と強度とを検出する例を挙げて説明したが、電磁波の変調度等の他の状態量を検出してもよい。
【符号の説明】
【００３９】
１０、２００  アダプタ、２０、２２０  アダプタ本体、２２、２２２  オス側コネクタ（コネクタ）、２４、２２４  メス側コネクタ（コネクタ）、２６、２２６  基部、３０、２３０、３００  発光ダイオード（発光体）、４０、５０  発光回路、４２  コイル（電磁波検出手段）、４４  整流用ダイオード、４６  コンデンサ、５２  電源抽出回路、５４  検波回路、５６  周波数分別回路（電磁波状態検出手段、周波数分別手段）、５８  信号レベル検出回路（電磁波状態検出手段、強度レベル検出手段）、６０  ＬＥＤ制御回路（発光制御手段）、１００  無線装置、１０２  無線装置本体、１０４  メンテナンスパネル、１０６、１０８  表示灯、１１０、１１１  送信盤、１２０、１２１  受信盤、１３０  送信空中線、１３２  受信空中線、１４０、１４２、１４４  同軸ケーブル（給電線）、１５０、１５２、１５４  同軸ケーブル、１４６  切替器、１５６  分配器
【図１】
2011234115.tif 000003
【図２】
2011234115.tif 000004
【図３】
2011234115.tif 000005
【図４】
2011234115.tif 000006
【図５】
2011234115.tif 000007